(57)【特許請求の範囲】
【請求項１】
パネルに設けられた取付孔に着脱可能に装着されるクリップにおいて、
前記パネルの表面側に配置されるフランジ部、及び前記フランジ部の下面に突設されて前記取付孔に仮止め可能に挿通される複数の弾性脚、並びに前記フランジ部を貫通して前記弾性脚同士の間の隙間に連通している開口を有した雌部材と
前記開口を覆う大きさの操作部、及び前記操作部の下面に突設された差込部を有し、前記差込部が前記開口から前記隙間に挿入保持された状態で前記各弾性脚が互いに接近する方向への変形を阻止可能にする雄部材と、
前記雌部材に嵌合された取付状態で前記弾性脚の一部を覆う金属製カバーとからなることを特徴とするクリップ。
【請求項２】
前記弾性脚と前記金属製カバーとは、どちらか一方に設けた凸部と、他方に設けた凹部とにより、前記各弾性脚が互いに接近する方向に変形可能な状態で嵌合されていることを特徴とする請求項１に記載のクリップ。
【請求項３】
前記雌部材は、前記差込部が前記開口から前記弾性脚同士の隙間に挿入される途中で前記雄部材を圧接保持し、その圧接保持状態で、前記パネルに対して、前記弾性脚を前記取付孔に挿入し係合することにより仮止めされ、前記差込部が更に挿入されて前記弾性脚に圧接することにより本止めされることを特徴とする請求項１又は２に記載のクリップ。
【請求項４】
前記金属製カバーは、前記各弾性脚の先端及び外面部分を覆う被覆部、及び前記被覆部の一部から延設されて前記フランジ部に当接する折返し片部を有していることを特徴とする請求項１から３の何れかに記載のクリップ。
【請求項５】
前記金属製カバーは、前記雌部材に嵌合された取付状態で前記弾性脚の先端との間に緩衝用空間を保つよう形成されていることを特徴とする請求項１から４の何れかに記載のクリップ。
【請求項６】
前記雌部材及び前記雄部材の少なくとも一方には前記雄部材の前記雌部材に対する保持状態を解除する治具を挿入する治具差込用空間が設けられていることを特徴とする請求項１から５の何れかに記載のクリップ。
【発明の詳細な説明】
【技術分野】
【０００１】
本発明は、パネルに設けられた取付孔に着脱可能に装着される物品支持用として好適なクリップに関する。
【背景技術】
【０００２】
図８は特許文献１に開示のクリップ構造を示している。この構造は、特にパネルへの取付操作性を良好にしたものであり、ベース部材１１と、ベース部材１１に組み付けられる金属製のクリップ２１と、ベース部材１１にクリップ２１を一体化する係合部材３１とからなる。
【０００３】
ここで、ベース部材１１は、パネル６１に沿って配置される鍔部１５付きのベース部１２、ベース部１２の裏面側に突出されてパネル６１の取付孔（係止孔）６１ａに挿入される突出部１３、ベース部１２の表面側に設けられてアシストグリップ４１を支持する支持壁部１６、ベース部１２を貫通している対の貫通孔とを有している。クリップ２１は、概略Ｕ形状からなり、ベース部材１１に対し前記貫通孔から挿通されて裏側より表側へ突出される第１係合部２３，２３、パネルの取付孔６１ａに係合される第２係合部２４、各第１係合部２３のベース部材表側へ突出した部分に設けられ、挿入方向と直交する方向の貫通孔２３ａ、ベース部材の突出部１３を挿入する基部側の貫通孔とを有している。係合部材３１は、貫通孔２３ａへ挿入されてベース部材１１に対するクリップ２１の抜けを阻止する係合部３２、及びベース部材の表側を覆うカバー３３、並びに取り外し操作部３５とを有している。
【先行技術文献】
【特許文献】
【０００４】
【特許文献１】特許第４１０６３０７号公報
【発明の概要】
【発明が解決しようとする課題】
【０００５】
上記特許文献１の構造では、ベース部材１１が係合部材３１を介して一体化したクリップ２１によりパネル６１に対し取付孔６１ａへの押し操作によって係合固定され、取付工具や治具を必要としないため取付操作性に優れている。また、金属製のクリップを使用しているため用途例として車両のエアバックの爆発に起因した衝撃や路面側からの飛び石などによる衝撃を受けても破壊され難い点、カバー３３がクリップ側第１係合部２３を覆うため見栄えを維持できる点などの利点もある。
【０００６】
しかし、この構造では、まず、パネル側取付孔に対する係合固定力は、第１係合部２３の一部を切り起こした第２係合部２４である弾性片の傾斜角度などに比例するため、傾斜角度を変えて係合固定力を大きくすると、取付孔への挿入力も過大となり取付操作性が損なわれる。また、クリップ２１がベース部材１１に装着された状態でパネル側取付孔６１ａに第２係合部２４である錨状の弾性片を挿入して係合するため、パネルに対し仮止めする構成を追加し難い。
【０００７】
本発明の目的は、以上のような課題を解消して、特許文献１と同じく取付操作性に優れ、金属製カバーによりパネルに対する係合箇所を破壊され難いという利点に加え、取付操作性を損なうことなく係合固定力を確実に増大できるようにしたり、パネルに対し仮止め可能にして取付手順などを改善し易くすることにある。他の目的は以下の内容説明のなかで明らかにする。
【課題を解決するための手段】
【０００８】
上記目的を達成するため本発明は、形態例を参考にして特定すると、パネル７に設けられた取付孔７ａに着脱可能に装着されるクリップ４において、前記パネル７の表面側に配置されるフランジ部１０、及び前記フランジ部の下面に突設されて前記取付孔に仮止め可能に挿通される複数の弾性脚１５、並びに前記フランジ部を貫通して前記弾性脚同士の間の隙間Ｓに連通している開口１４を有した雌部材１と、前記開口１４を覆う操作部２０、及び前記操作部の下面に突設された差込部２５を有し、前記差込部２５が前記開口から前記隙間Ｓに挿入保持された状態で前記各弾性脚１５の互いに接近する方向への変形を阻止可能にする雄部材２と、前記雌部材１に嵌合された取付状態で前記弾性脚１５の一部を覆う金属製カバー３とからなることを特徴としている。
【０００９】
以上の本発明は、請求項２〜６で特定したように具体化されることがより好ましい。
（ア）、前記弾性脚１５と前記金属製カバー３とは、どちらか一方に設けた凸部１６と、他方に設けた凹部３４とにより、前記各弾性脚１５が互いに接近する方向に変形可能な状態で嵌合されている構成である（請求項２）。
（イ）、前記雌部材１は前記差込部２５が前記開口１３から前記弾性脚１５同士の隙間Ｓに挿入される途中で前記雄部材２を圧接保持し、その圧接保持状態で、前記パネル７に対して、前記弾性脚１５を前記取付孔７ａに挿入し係合することにより仮止めされ、前記差込部２５が更に挿入されて前記弾性脚１５に圧接することにより本止めされる構成である（請求項３）。
【００１０】
（ウ）、前記金属製カバー３は、前記各弾性脚１５の先端及び外面部分を覆う被覆部３０〜３２、及び前記被覆部の一部から延設されて前記フランジ部に当接する折返し片部３３を有している構成である（請求項４）。
（エ）、前記金属製カバー３は、前記雌部材１に嵌合された取付状態で前記弾性脚１５の先端との間に緩衝用空間８を保つよう形成されている構成である（請求項５）。
（オ）、前記雌部材１及び前記雄部材２の少なくとも一方には前記雄部材２の前記雌部材１に対する保持状態を解除する治具を挿入する治具差込用空間２０ａが設けられている構成である（請求項６）。
【発明の効果】
【００１１】
請求項１の発明では、図２に例示されるごとく、雌部材が雄部材を開口に挿入した状態で、パネルに対して弾性脚を取付孔に挿入し係合した後、その係合状態で、雄部材が押し込み操作されると、差込部が弾性脚同士の間の隙間に挿入保持されると、各弾性脚が互いに接近する方向への変形を阻止され、それにより解除不能に係合固定される。このため、この構造では、特許文献１と同様に取付操作性に優れ、金属製カバーにより弾性脚などを破壊され難くできる利点に加え、取付操作性を損なうことなく係合固定力を確実に増大できる。
【００１２】
請求項２の発明では、図１に例示されるごとく、雌部材側の弾性脚と金属製カバーとが凸部と凹部とを介して各弾性脚を互いに接近する方向に変形可能な状態で嵌合されているため、例えば図５（ａ）のごとく金属製カバーを予め弾性脚に取り付けた状態で取り扱うことができ、それにより取扱性やパネルへの取付操作性をより向上できる。
【００１３】
請求項３の発明では、雌部材が雄部材を圧接保持した状態で、パネルに対して弾性脚を取付孔に挿入し係合することで仮止めされ、差込部を更に挿入し弾性脚に内側から圧接することで本止めされる。このため、この構造では、例えば、パネルに対して複数のクリップを仮止めし、それらを同時に本止め操作することができ、その点から取付作業手順を改善でき、引いてはパネルへの取付操作性も更に向上できる。
【００１４】
請求項４の発明では、各弾性脚の先端及び外面部分をカバーの被覆部により覆って保護することにより、かつ、雌部材側のフランジ部に折返し片部を当接して被覆部に飛び石などが当たっても変形し難くすることにより、金属製カバーの保護機能を充分に発揮できるようにする。
【００１５】
請求項５の発明では、カバーが弾性脚の先端との間に緩衝用空間を形成していると、例えば被覆部に飛び石などが当たったときにその空間の緩衝作用により衝撃を緩和吸収できるようにする。
【００１６】
請求項６の発明では、例えば、クリップの解体時にドライバーなどを冶具差込用空間に差し込んで雄部材を雌部材から強制的に引き抜いてクリップの解体操作を容易に行えるようにする。
【図面の簡単な説明】
【００１７】
【図１】形態例のクリップをパネルの取付孔に仮止めした状態を示し、（ａ）は側面図、（ｂ）はパネルの下面側より見た図である。
【図２】（ａ）と（ｂ）は上記クリップをパネルの取付孔に仮止めした状態と本止めした状態とを上記図１（ｂ）のＡ−Ａ線に沿って示した断面図である。
【図３】（ａ）と（ｂ）は上記クリップをパネルの取付孔に仮止めした状態と本止めした状態とを上記図１（ａ）のＢ−Ｂ線に沿って示した断面図である。
【図４】上記クリップの構成を示す分解斜視図である。
【図５】（ａ）と（ｂ）はパネルに対する上記クリップの仮止め状態と本止め状態で示した概略斜視図である。
【図６】上記雌部材単品を示し、（ａ）は上面図、（ｂ）は側面図、（ｃ）は正面図である。
【図７】上記雄部材単品を示し、（ａ）は側面図、（ｂ）は正面図、（ｃ）は下面図である。
【図８】特許文献１の構造を示し、（ａ）はクリップの断面図、（ｂ）はパネルに装着した使用状態での側面図である。
【発明を実施するための形態】
【００１８】
以下、本発明の形態例について添付図面を参照しながら説明する。この説明では、クリップの構造、組立、パネルへの取付操作の順で詳述する。
【００１９】
（構造）形態例のクリップ４は、図２及び図４に示されるごとくパネル７に設けられた矩形状の取付孔７ａに着脱可能に装着されてアシストグリップ５などを回動可能に支持するものであり、樹脂製の雌部材１及び雄部材２並びに金属製のカバー３の３点構成である。各部材は次のような概略構成からなる。すなわち、雌部材１は、パネル７の表面側に配置されるフランジ部１０と、フランジ部１０の上面に突設されてアシストグリップ５を枢軸６を介して支持する支持壁部１１と、フランジ部１０の下面に突設されて取付孔７ａに仮止め可能に挿通される複数（この例では２つ）の弾性脚１５と、フランジ部１０を貫通して弾性脚１５同士の間の隙間Ｓに連通している開口１４とを有している。雄部材２は、開口１４を覆う操作部２０と、操作部２０の下面に突設された差込部２５とを有し、差込部２５が開口１４から隙間Ｓに挿入保持された状態で各弾性脚１５の互いに接近する方向への変形を阻止可能にする。カバー３は、各弾性脚１５の先端部を覆う被覆部３０〜３２と、被覆部３２の一部から延設されてフランジ部１０に当接する折返し片部３３とを有している。以下、各部材の細部を明らかにする。
【００２０】
まず、雌部材１を図４及び図６を参照して説明する。フランジ部１０は、略矩形板状をなし、支持壁部１１の内側にあって表裏を貫通した開口１４と、各側壁１２との間にあって表裏を貫通したスリット１４ａと、各スリット１４ａと開口４１との間を構成している細い弾性片１０ａとを形成している。また、フランジ部１０の裏面には、台座１９及び台座１９の前後部に突設した突当部１９ａが設けられている。そして、この例では、雌部材１を図２（ｂ）のごとくパネル７に係合固定した状態で、突当部１９ａがパネル７の表面に当接されている。但し、パネル７には特許文献１のごとく内装材が添設されることがある。その場合は、例えば、台座１９がその内装材に沿って配置され、当接部１９ａがその内装材に設けられた穴からパネル７に当接される。
【００２１】
支持壁部１１は、両側壁１２及び両側壁１２同士を接続している中間壁１３により概略コ形状となっている。各両側壁１２は、上部が中間壁１３よりも更に開口１４と反対側へ変位されており、その変位した箇所に同軸線上に設けられた軸孔１２ａを有している。そして、この例では、パネル７に係合固定される２つのクリップ４に対し、アシストグリップ５が各軸孔１２ａに挿通される枢軸６を介して回動可能に枢支される（この支持構造は特許文献１や特開２００２−２２５６１３号公報などを参照）。
【００２２】
２つの弾性脚１５は、開口１４の横縁部からそれぞれ対向した状態で突出されている。各弾性脚１５は、略矩形板状となっていて、脚同士の間の隙間Ｓが基端側より突出端側の方を狭くなるよう形成されている。また、各弾性脚１５は、先端の内側に一段出っ張った張出部１５ａと、外面に設けられて先端から基端手前に向かって次第に張り出す傾斜面の上段差である係合部１５ｂと、先端側の両側面に設けられた爪部１６とを有している。各張出部１５ａは雄部材の差込部２５と当接する箇所である。係合部１５ｂは、取付孔７ａの縁に弾性係合される箇所である。爪部１６はカバー３に嵌合される箇所である。
【００２３】
そして、以上の雌部材１は、図２（ａ）のごとく雄部材２を圧接保持した状態で、各弾性脚１５がパネルの取付孔７ａに対して、縮径しつつ挿通され、挿通と同時に元の形状に復元されことにより係合部１５ｂが係合して仮止め状態となる。雌部材１は、仮止め状態から、雄部材２が図２（ｂ）のごとく更に押し操作されて、差込部２５が弾性脚１５同士の間に圧入されると、各弾性脚１５同士が縮径方向に変形不能となる本止め状態に切り換えられる。
【００２４】
次に、雄部材２を図４及び図７を参照して説明する。操作部２０は、差込部２５の頭部に相当し、上側の湾曲状操作面２１、両側面２２、下面２３、背面２４により区画形成され、前記支持壁部１１のコ形内に収まる大きさとなっている。操作面２１及び下面２３には治具差込用の空間２０ａが設けられている。つまり、この空間２０ａは、図５（ｂ）のごとく雌部材１に対する雄部材２の保持状態を解除するためのドライバー等の治具６を挿入する箇所である。
【００２５】
差込部２５は、概略矩形板状からなるとともに、先端２５ａが少し薄くなっている。また、差込部２５は、両側面の内側に設けられて側面と平行に延びているスリット２６，２６と、前後面にあって両スリット間に設けられている合計４つの凹部２７と、両側面に設けられた先端側の凸部２８及び基端側の張出部２９とを有している。各スリット２６は、対応側面の凸部２８及び張出部２９を弾性変形可能にしている。凹部２７は、欠肉用つまり軽量化を目的としたものであるが、省略されることもある。凸部２８と張出部２９との間は仮組み付け用の凹部２５ｂに設定されている。
【００２６】
次に、カバー３を図３及び図４を参照して説明する。カバー３は、ブレス品であり、各弾性脚１５の先端面側を覆う底面側被覆部３０と、各弾性脚１５の先端側外面を覆う前後面側被覆部３１と、各弾性脚１５の先端側側面を覆う両端側被覆部３２と、両端面側被覆部３２を上向きに延長した折返し片部３３とを有している。また、両端側被覆部３２には矩形孔である凹部３４がそれぞれ設けられている。各折返し片部３３の先端３３ａは外側に屈曲形成されている。
【００２７】
（組立）以上の各部材は、以下に例示するような手順により、図５（ａ）の仮組み付け状態に組み付けられて一体物のクリップ４として取り扱われる。この組立では、雌部材１に対してカバー３と雄部材１とが共に仮組み付けされる。ここでは、雌部材１に対してカバー３を組み付けた後に雄部材１を組み付ける例で述べるが、雌部材１に対して雄部材１を組み付けた後、カバー３を後で組み付けるようにしてもよい。
【００２８】
前者の作業では、被覆部３０〜３２の内側に両弾性脚１５を収容し、かつ、各折返し片部の先端３３ａをフランジ部１０に当接すると、弾性脚側の各爪部１６が対応する凹部３４と嵌合し、それによりカバー３が雌部材１に対し仮組み付けされる。この状態では、弾性脚１５の２つの爪部１６は、凹部３４である矩形孔内で遊嵌、つまり互いに接近したり離間する方向に変形可能となっている。
【００２９】
後者の作業では、雄部材の差込部２５を開口１４から隙間Ｓに挿入すると、図３（ａ）の拡大図に示したごとく弾性片１０ａが凸部２８を弾性的に乗り越えて凹部２５ｂに係合する。それにより、雄部材２は雌部材１に対して弾性片１０ａと凹部２５ｂとが解除可能に係合された状態で仮組み付けされ、一体物として取り扱うことができる。
【００３０】
（パネルへの取付操作）以上のようにして仮組み付けされたクリップ４は、図２及び図３の各（ａ）ごとくパネル７に対してワンタッチ操作により仮止めされ、かつ各（ｂ）のごとくワンタッチ操作により仮止め状態から本止めに切り換えられる。すなわち、上記仮組み付けされたクリップ４は、雌部材の各弾性脚１５がパネル７に対して、互いに接近する方向に変位しながら取付孔７ａを通過し、完全に通過されると復元されて、係合部１５ｂが取付孔７ａの孔縁に係合ないしは係止されて仮止めされる。
【００３１】
また、作業者は、以上の仮止め状態から、雄部材の操作部２０を図２（ａ）の矢印方向へ押すと、差込部２５が同（ｂ）のごとく下面２３がフランジ部１０に当たる最終段階まで同方向へ移動されて本止め状態に切り換えられる。本止め状態では、差込部２５の先端部２５ａが両張出部１５ａの対向内面を拡開方向に変位しながら張出部１５ａ同士の間に圧入され、かつ、各弾性脚に設けられた爪部１６も互いの間隔を拡げられて凹部３４の矩形孔の両側に強く嵌合されている。このため、この構造では、両弾性脚１５が互いに接近する方向への変位を阻止され、それにより取付孔７ａに対する係合部１５ｂの係合が確実に維持され、係合固定力を増大できる。また、カバー３は、両弾性脚１５の少なくとも先端側を覆って保護し、かつ図２（ｂ）のごとく弾性脚１５の先端との間に空間８を保っている。このため、この構造では、使用状態において、例えば被覆部３０〜３２に飛び石などが当たっても、空間８の緩衝作用により衝撃を緩和吸収できる。
【００３２】
また、以上のクリップ４は、パネルの取付孔７ａに本止めされた状態から簡単に回収できる。すなわち、作業者は、図５（ｂ）のごとくドライバーなどの工具９を用いて、工具９の先端を空間２０ａに丸数字１の方向から差し込んで、丸数字２の上方向に持ち上げる。すると、雄部材２は、雌部材１に対して張出部２９と弾性片１０ａとの圧接保持力に抗して所定量だけ引き抜かれるとともに、図３（ａ）のごとく凹部２５ｂと弾性片１０ａとが係合、つまり仮組み付け状態となる。このため、クリップ４（の雌部材１）は、パネル７から離れる方向に引っ張ると、各係合部１５ｂが両弾性脚１５の内側への変形を伴って取付孔１７ａから係合解除されるため、取付孔７ａから簡単に引き抜かれる。
【００３３】
なお、本発明のクリップは、請求項で特定される構成を備えておればよく、細部は形態例を参考にして変更したり展開可能なものである。その例としては、雌部材の支持壁部にはアシストグリップ以外の物品や部材を取り付けたり、カバーの被覆部形状を変更することである。
【符号の説明】
【００３４】
１・・・雌部材（１０はフランジ部、１４は開口、１５は弾性脚、１６は凸部）
２・・・雄部材（２０は操作部、２０ａは空間、２５は差込部、）
３・・・カバー（３０〜３２は被覆部、３３は折返し片部、３４は凹部）
４・・・クリップ
５・・・アシストグリップ
６・・・枢軸
７・・・パネル（７ａは取付孔）
８・・・緩衝用空間
９・・・ドライバー（工具）
【図１】
0005620803.tif 000002
【図２】
0005620803.tif 000003
【図３】
0005620803.tif 000004
【図４】
0005620803.tif 000005
【図５】
0005620803.tif 000006
【図６】
0005620803.tif 000007
【図７】
0005620803.tif 000008
【図８】
0005620803.tif 000009